(57)【要約】  本開示は、システムクロック周波数が異なるメディアトランスポート方式にそれぞれ対応するコンテンツを再生可能なコンテンツ再生装置を低コストで実現することができるようにするコンテンツ再生装置、およびコンテンツ再生方法に関する。本開示の一側面であるコンテンツ再生装置は、第１の周波数から成る第１のシステムクロックに基づいて生成された第１の多重化ストリームを取得する取得部と、取得された前記第１の多重化ストリームから符号化データと提示時刻情報を分離する多重分離部と、第２の周波数から成る第２のシステムクロックを発生するシステムクロック発生部と、分離された前記提示時刻情報を前記第２の周波数軸上の値に数値変換する変換部と、分離された前記符号化データを復号し、復号の結果得られた復号信号を、数値変換された前記提示時刻情報に従って提示するデコード部とを備える。本開示は、例えば、コンテンツプレイヤに適用できる。
2017077881.tif 000002
【特許請求の範囲】
【請求項１】
第１の周波数から成る第１のシステムクロックに基づいて生成された第１の多重化ストリームを取得する取得部と、
取得された前記第１の多重化ストリームから符号化データと提示時刻情報を分離する多重分離部と、
前記第１の周波数とは異なる第２の周波数から成る第２のシステムクロックを発生するシステムクロック発生部と、
前記第１の多重化ストリームから分離された前記提示時刻情報を前記第２の周波数軸上の値に数値変換する変換部と、
前記第１の多重化ストリームから分離された前記符号化データを復号し、復号の結果得られた復号信号を、数値変換された前記提示時刻情報に従って提示するデコード部と
を備えるコンテンツ再生装置。
【請求項２】
前記取得部は、前記第２のシステムクロックに基づいて生成された第２の多重化ストリームも取得し、
前記多重分離部は、取得された前記第２の多重化ストリームからも符号化データと提示時刻情報を分離し、
前記デコード部は、前記第２の多重化ストリームから分離された前記符号化データを復号し、復号の結果得られた復号信号を、前記第２の多重化ストリームから分離された前記提示時刻情報に従って提示する
請求項１に記載のコンテンツ再生装置。
【請求項３】
前記多重分離部は、取得された前記第１の多重化ストリームからさらに参照時刻情報を分離し、
前記変換部は、前記第１の多重化ストリームから分離された前記参照時刻情報も前記第２の周波数軸上の値に数値変換し、
数値変換された前記参照時刻情報に基づき、前記第２のシステムクロックを発生する前記システムクロック発生部を制御するクロック制御部をさらに備える
請求項２に記載のコンテンツ再生装置。
【請求項４】
前記多重分離部は、取得された前記第２の多重化ストリームからもさらに参照時刻情報を分離し、
前記クロック制御部は、さらに、前記第２の多重化ストリームから分離された前記参照時刻情報に基づき、前記第２のシステムクロックを発生する前記システムクロック発生部を制御する
請求項３に記載のコンテンツ再生装置。
【請求項５】
前記クロック制御部は、さらに、取得された前記第１または第２の多重化ストリームの伝送経路情報に応じて、前記第２のシステムクロックを発生する前記システムクロック発生部を制御する
請求項４に記載のコンテンツ再生装置。
【請求項６】
前記第１および第２の周波数とは異なる第３の周波数から成る外部参照信号から分離した同期信号を前記第２の周波数軸上の値に数値変換し、数値変換した前記同期信号に基づいて外部参照時刻情報を生成する外部参照時刻情報生成部をさらに備え、
前記クロック制御部は、さらに、生成された前記外部参照時刻情報に基づき、前記第２のシステムクロックを発生する前記システムクロック発生部を制御する
請求項５に記載のコンテンツ再生装置。
【請求項７】
前記クロック制御部は、さらに、前記第２のシステムクロックを発生する前記システムクロック発生部が自走するように制御する
請求項６に記載のコンテンツ再生装置。
【請求項８】
前記第１の周波数は２７[ＭHz]、前記第１の多重化ストリームのメディアトランスポート方式はMPEG-2 TS、前記第１の多重化ストリームから分離された前記参照時刻情報はPCR、前記第１の多重化ストリームから分離された前記提示時刻情報はPTSであり、
前記第２の周波数は２N[Hz]、前記第２の多重化ストリームのメディアトランスポート方式はMMT、前記第２の多重化ストリームから分離された前記参照時刻情報はNTP、前記第２の多重化ストリームから分離された前記提示時刻情報はPTSである
請求項２に記載のコンテンツ再生装置。
【請求項９】
前記第１の周波数は２N[Hz]、前記第１の多重化ストリームのメディアトランスポート方式はMMT、前記第１の多重化ストリームから分離された前記参照時刻情報はNTP、前記第１の多重化ストリームから分離された前記提示時刻情報はPTSであり、
前記第２の周波数は２７[ＭHz]、前記第２の多重化ストリームのメディアトランスポート方式はMPEG-2 TS、前記第２の多重化ストリームから分離された前記参照時刻情報はPCR、前記第２の多重化ストリームから分離された前記提示時刻情報はPTSである
請求項２に記載のコンテンツ再生装置。
【請求項１０】
コンテンツ再生装置のコンテンツ再生方法において、
前記コンテンツ再生装置による、
第１の周波数から成る第１のシステムクロックに基づいて生成された第１の多重化ストリームを取得する取得ステップと、
取得された前記第１の多重化ストリームから符号化データと提示時刻情報を分離する多重分離ステップと、
前記第１の多重化ストリームから分離された前記提示時刻情報を、システムクロック発生部が発生した前記第１の周波数とは異なる第２の周波数軸上の値に数値変換する変換ステップと、
前記第１の多重化ストリームから分離された前記符号化データを復号する復号ステップと、
復号の結果得られた復号信号を、数値変換された前記提示時刻情報に従って提示する提示ステップと
を含むコンテンツ再生方法。
【発明の詳細な説明】
【技術分野】
【０００１】
本開示は、コンテンツ再生装置、およびコンテンツ再生方法に関し、特に、システムクロック周波数が異なる規格にそれぞれ対応するコンテンツを再生できるようにしたコンテンツ再生装置、およびコンテンツ再生方法に関する。
【背景技術】
【０００２】
現在、デジタルテレビジョン放送のメディアトランスポート方式には、システムクロック周波数が２７[ＭHz]であるMPEG2 TSが採用されており、今後においてはシステムクロック周波数が２N[Hz]であるMMT(MPEG Media Transport)の採用が予定されている（例えば、非特許文献１参照）。【０００３】
したがって、メディアトランスポート方式がMPEG2 TSからMMTに移行する過渡期においては、MPEG2 TSに対応するコンテンツとMMTに対応するコンテンツの両方が混在し得るので、これらの両方を受信、再生可能なコンテンツ再生装置が必要となる。【０００４】
上述したように、MPEG2 TSとMMTとはシステムクロック周波数が異なるので、そのようなコンテンツ再生装置には、システムクロック周波数のみが異なり他は同様に構成された２種類のシステムクロック系統を設ければよい。【０００５】
図１は、従来において想定し得る、MPEG2 TSに対応するコンテンツとMMTに対応するコンテンツの両方を受信再生可能なコンテンツ再生装置の構成の一例を示している。【０００６】
このコンテンツ再生装置１０は、大別してコンテンツ取得部１１、MMT処理部１５、ＴＳ処理部２４、セレクト部３３、およびデコード部３４から構成される。【０００７】
コンテンツ取得部１１は、通信部１２、受信部１３、およびセレクト部１４を有する。【０００８】
通信部１２は、インターネットに代表される通信ネットワーク１を介し、MMTまたはMPEG2 TSに対応する多重化ストリームを取得してセレクト部１４に出力する。受信部１３は、地上波放送網、衛星放送網、CATV網などの放送ネットワーク２を介し、MMTまたはMPEG2 TSに対応する多重化ストリームを受信してセレクト部１４に出力する。【０００９】
セレクト部１４は、入力された多重化ストリームのメディアトランスポート方式に対応してその出力先を選択する。具体的には、MMTに対応する多重化ストリームはMMT処理部１５の多重分離部１６に出力し、MPEG2 TSに対応する多重化ストリームはＴＳ処理部２４の多重分離部２５に出力する。【００１０】
MMTのシステムクロック系統に属するMMT処理部１５は、多重分離部１６、クロックリカバリ部１７、クロック信号生成部２２、およびHost I/F部２３を有する。【００１１】
多重分離部１６は、MMTに対応する多重化ストリームデータから、コンテンツの符号化データを分離してHost I/F部２３に出力する。また、多重分離部１６は、MMTに対応する多重化ストリームデータから、PSI(Program Specific Information)相当、参照時刻情報NTP(Network Time Protocol)および提示時刻情報PTS(Presentation Time Stamp)を分離してクロックリカバリ部１７に出力する。【００１２】
クロックリカバリ部１７は、クロック発生部１８、NTP相当カウント部１９、カウント比較部２０、クロック制御部２１を有する。【００１３】
クロックリカバリ部１７では、多重分離部１６から入力される参照時刻情報NTPと、クロックリカバリ部１７内で生成するNTP相当カウント値との差分に基づき、２N[Hz]のシステムクロックを発生するクロック発生部１８を制御して、コンテンツの送信側におけるシステムクロックを復元し（コンテンツの送信側におけるシステムクロックと同期させ）、復元したシステムクロックをクロック信号生成部２２に出力する。【００１４】
クロックリカバリ部１７のカウント比較部２０は、多重分離部１６から入力される参照時刻情報NTPおよび提示時刻情報PTSをTime Stamp InfoとしてHost I/F部２３に出力する。【００１５】
クロック信号生成部２２は、復元された２N[Hz]のシステムクロックに基づき、MMTの符号化データを復号するときに必要なベースバンドクロック信号を生成してセレクト部３３に出力する。Host I/F部２３は、前段から入力された符号化データ、参照時刻情報NTPおよび提示時刻情報PTSをセレクト部３３に出力する。【００１６】
一方、MPEG2 TSのシステムクロック系統に属するＴＳ処理部２４も、MMT処理部１５と同様の構成を有する。すなわち、ＴＳ処理部２４は、多重分離部２５、クロックリカバリ部２６、クロック信号生成部３１、およびHost I/F部３２を有する。【００１７】
多重分離部２５は、MPEG2 TSに対応する多重化ストリームデータから、コンテンツの符号化データを分離してHost I/F部３２に出力する。また、多重分離部２５は、MPEG2 TSに対応する多重化ストリームデータから、PSI、参照時刻情報PCR(Program Clock Reference）および提示時刻情報PTSを分離してクロックリカバリ部２６に出力する。【００１８】
クロックリカバリ部２６は、クロック発生部２７、STCカウント部２８、カウント比較部２９、およびクロック制御部３０を有する。【００１９】
クロックリカバリ部２６では、多重分離部２５から入力される参照時刻情報PCRおよび提示時刻情報PTSと、クロックリカバリ部１７内で生成するSTC(System Time Clock)カウント値との差分に基づき、２７[ＭHz]のシステムクロックを発生するクロック発生部２７を制御して、コンテンツの送信側におけるシステムクロックを復元し（コンテンツの送信側におけるシステムクロックと同期させ）、復元したシステムクロックをクロック信号生成部３１に出力する。【００２０】
クロックリカバリ部２６のカウント比較部２９は、多重分離部２５から入力される参照時刻情報PCRおよび提示時刻情報PTSをTime Stamp InfoとしてHost I/F部３２に出力する。【００２１】
クロック信号生成部３１は、復元された２７[ＭHz]のシステムクロックに基づき、MPEG2 TSの符号化データを復号するときに必要なベースバンドクロック信号を生成してセレクト部３３に出力する。Host I/F部３２は、前段から入力された符号化データ、参照時刻情報PCRおよび提示時刻情報PTSをセレクト部３３に出力する。【００２２】
セレクト部３３は、MMT処理部１５から入力される２N[Hz]のシステムクロックに同期されているベースバンドクロック信号、符号化データ、参照時刻情報NTPおよび提示時刻情報PTSの組、または、ＴＳ処理部２４から入力される２７[ＭHz]のシステムクロックに同期されているベースバンドクロック信号、符号化データ、参照時刻情報PCRおよび提示時刻情報PTSの組をデコード部３４に出力する。【００２３】
デコード部３４は、セレクト部３３を介してMMT処理部１５から入力されるベースバンドクロック信号に合わせて符号化データをデコードし、その結果得られるビデオ信号とオーディオ信号を提示時刻情報PTSに基づいて同期させて後段に出力する。また、デコード部３４は、セレクト部３３を介してＴＳ処理部２４から入力されるベースバンドクロック信号に合わせて符号化データ符号化データをデコードし、その結果得られるビデオ信号とオーディオ信号を提示時刻情報PTSに基づいて同期させて後段に出力する。
【先行技術文献】
【非特許文献】
【００２４】
【非特許文献１】ARIB STD-B60 1.2版  デジタル放送におけるMMTによるメディアトランスポート方式、平成２７年３月１７日
【発明の概要】
【発明が解決しようとする課題】
【００２５】
図１に示されたコンテンツ再生装置１０によれば、MPEG2 TSに対応するコンテンツとMMTに対応するコンテンツの両方を受信して再生することができる。【００２６】
ただし、図示したように、同様の構成を有するMMT処理部１５とＴＳ処理部２４を設けていることから、部品数が多くなり、実装規模が大きくなって製造コストが高くなってしまうことに加え、消費電力が大きくなるので使用時のコストも上がってしまう問題があった。【００２７】
また、２種類のクロック発生部１８，２７を搭載していることにより、EMI輻射が発生し易くなるので、この影響を防止する対策も必要となる。【００２８】
なお、消費電力の抑制やEMI輻射の対策として、同様の構成を有するMMT処理部１５とＴＳ処理部２４のうち、使用している一方だけに電源供給する方法も考えられる。【００２９】
しかしながらその場合、MMT処理部１５とＴＳ処理部２４に対する電力供給を入切りする回路、電力を供給していない部品のIO接続に信号が供給されないようにする回路を追加するか、または電源遮断時にも外部信号入力が許される部品を使用する必要がある。よって、この場合にも製造コストが高くなってしまう問題がある。【００３０】
本開示はこのような状況に鑑みてなされたものであり、システムクロック周波数が異なるメディアトランスポート方式にそれぞれ対応するコンテンツを再生可能なコンテンツ再生装置を低コストで実現できるようにするものである。
【課題を解決するための手段】
【００３１】
本開示の一側面であるコンテンツ再生装置は、第１の周波数から成る第１のシステムクロックに基づいて生成された第１の多重化ストリームを取得する取得部と、取得された前記第１の多重化ストリームから符号化データと提示時刻情報を分離する多重分離部と、前記第１の周波数とは異なる第２の周波数から成る第２のシステムクロックを発生するシステムクロック発生部と、前記第１の多重化ストリームから分離された前記提示時刻情報を前記第２の周波数軸上の値に数値変換する変換部と、前記第１の多重化ストリームから分離された前記符号化データを復号し、復号の結果得られた復号信号を、数値変換された前記提示時刻情報に従って提示するデコード部とを備える。【００３２】
前記取得部は、前記第２のシステムクロックに基づいて生成された第２の多重化ストリームも取得することができ、前記多重分離部は、取得された前記第２の多重化ストリームからも符号化データと提示時刻情報を分離することができ、前記デコード部は、前記第２の多重化ストリームから分離された前記符号化データを復号し、復号の結果得られた復号信号を、前記第２の多重化ストリームから分離された前記提示時刻情報に従って提示することができる。【００３３】
前記多重分離部は、取得された前記第１の多重化ストリームからさらに参照時刻情報を分離することができ、前記変換部は、前記第１の多重化ストリームから分離された前記参照時刻情報も前記第２の周波数軸上の値に数値変換することができ、本開示の一側面であるコンテンツ再生装置は、数値変換された前記参照時刻情報に基づき、前記第２のシステムクロックを発生する前記システムクロック発生部を制御するクロック制御部をさらに備えることができる。【００３４】
前記多重分離部は、取得された前記第２の多重化ストリームからもさらに参照時刻情報を分離することができ、前記クロック制御部は、さらに、前記第２の多重化ストリームから分離された前記参照時刻情報に基づき、前記第２のシステムクロックを発生する前記システムクロック発生部を制御することができる。【００３５】
前記クロック制御部は、さらに、取得された前記第１または第２の多重化ストリームの伝送経路情報に応じて、前記第２のシステムクロックを発生する前記システムクロック発生部を制御することができる。【００３６】
本開示の一側面であるコンテンツ再生装置は、前記第１および第２の周波数とは異なる第３の周波数から成る外部参照信号から分離した同期信号を前記第２の周波数軸上の値に数値変換し、数値変換した前記同期信号に基づいて外部参照時刻情報を生成する外部参照時刻情報生成部をさらに備えることができ、前記クロック制御部は、さらに、生成された前記外部参照時刻情報に基づき、前記第２のシステムクロックを発生する前記システムクロック発生部を制御することができる。【００３７】
前記クロック制御部は、さらに、前記第２のシステムクロックを発生する前記システムクロック発生部が自走するように制御することができる。【００３８】
前記第１の周波数は２７[ＭHz]、前記第１の多重化ストリームのメディアトランスポート方式はMPEG-2 TS、前記第１の多重化ストリームから分離された前記参照時刻情報はPCR、前記第１の多重化ストリームから分離された前記提示時刻情報はPTSとすることができ、前記第２の周波数は２N[Hz]、前記第２の多重化ストリームのメディアトランスポート方式はMMT、前記第２の多重化ストリームから分離された前記参照時刻情報はNTP、前記第２の多重化ストリームから分離された前記提示時刻情報はPTSとすることができる。【００３９】
前記第１の周波数は２N[Hz]、前記第１の多重化ストリームのメディアトランスポート方式はMMT、前記第１の多重化ストリームから分離された前記参照時刻情報はNTP、前記第１の多重化ストリームから分離された前記提示時刻情報はPTSとすることができ、前記第２の周波数は２７[ＭHz]、前記第２の多重化ストリームのメディアトランスポート方式はMPEG-2 TS、前記第２の多重化ストリームから分離された前記参照時刻情報はPCR、前記第２の多重化ストリームから分離された前記提示時刻情報はPTSとすることができる。【００４０】
本開示の一側面であるコンテンツ再生方法は、コンテンツ再生装置による、第１の周波数から成る第１のシステムクロックに基づいて生成された第１の多重化ストリームを取得する取得ステップと、取得された前記第１の多重化ストリームから符号化データと提示時刻情報を分離する多重分離ステップと、前記第１の多重化ストリームから分離された前記提示時刻情報を、システムクロック発生部が発生した前記第１の周波数とは異なる第２の周波数軸上の値に数値変換する変換ステップと、前記第１の多重化ストリームから分離された前記符号化データを復号する復号ステップと、復号の結果得られた復号信号を、数値変換された前記提示時刻情報に従って提示する提示ステップとを含む。【００４１】
本開示の一側面においては、第１の周波数から成る第１のシステムクロックに基づいて生成された第１の多重化ストリームが取得され、取得された前記第１の多重化ストリームから符号化データと提示時刻情報が分離され、前記第１の多重化ストリームから分離された前記提示時刻情報が、システムクロック発生部が発生した前記第１の周波数とは異なる第２の周波数軸上の値に数値変換される。さらに、前記第１の多重化ストリームから分離された前記符号化データが復号され、復号の結果得られた復号信号が、数値変換された前記提示時刻情報に従って提示される。
【発明の効果】
【００４２】
本開示の一側面によれば、システムクロック周波数が異なるメディアトランスポート方式にそれぞれ対応するコンテンツを再生可能なコンテンツ再生装置を低コストで実現することができる。
【図面の簡単な説明】
【００４３】
【図１】従来において想定し得るコンテンツ再生装置の構成の一例を示すブロック図である。
【図２】本開示の実施の形態であるコンテンツ再生装置の第１の構成例を示すブロック図である。
【図３】コンテンツ再生装置の第１の構成例によるコンテンツ再生処理を説明するフローチャートである。
【図４】本開示の実施の形態であるコンテンツ再生装置の第２の構成例を示すブロック図である。
【図５】コンテンツ再生装置の第２の構成例によるコンテンツ再生処理を説明するフローチャートである。
【図６】本開示の実施の形態であるコンテンツ再生装置の第３の構成例を示すブロック図である。
【図７】コンテンツ再生装置の第３の構成例によるコンテンツ再生処理を説明するフローチャートである。
【図８】本開示の実施の形態であるコンテンツ再生装置の第４の構成例を示すブロック図である。
【発明を実施するための形態】
【００４４】
以下、本開示を実施するための最良の形態（以下、実施の形態と称する）について、図面を参照しながら詳細に説明する。
【００４５】
＜本開示の実施の形態であるコンテンツ再生装置の第１の構成例＞
図２は、本開示の実施の形態であるコンテンツ再生装置の第１の構成例を示している。
【００４６】
このコンテンツ再生装置５０は、ＢＤ(Blu-ray（登録商標） Disc)やDVD(Digital Versatile Disc)などに代表される記録メディア３に記録されている、フォーマット方式がMPEG2 TSに対応するコンテンツと、フォーマット方式がMMTに対応するコンテンツの両方を読み出して再生するものである。
【００４７】
コンテンツ再生装置５０は、大別してコンテンツ取得部５１、多重分離部５３、PTS変換部５４、カウント比較部５５、クロック発生部５６、NTP相当カウント部５７、クロック信号生成部５８、Host I/F部５９、およびデコード部６０から構成される。
【００４８】
コンテンツ取得部５１は、メディアドライブ５２を有する。メディアドライブ５２は、クロック信号生成部５８から供給されるベースバンドクロック信号に基づくバッファ管理を行いながら記録メディア３からMMTまたはMPEG2 TSに対応する多重化ストリームを読み出して多重分離部５３に出力する。
【００４９】
多重分離部５３は、前段から入力された多重化ストリームデータのフォーマット方式がMMTである場合、多重化ストリームデータからコンテンツの符号化データを分離してHost I/F部５９に出力するとともに、多重化ストリームデータから、PSI相当および提示時刻情報PTSを分離してカウント比較部５５に出力する。
【００５０】
また、多重分離部５３は、前段から入力された多重化ストリームデータのフォーマット方式がMPEG2 TSである場合、多重化ストリームデータからコンテンツの符号化データを分離してHost I/F部５９に出力するとともに、多重化ストリームデータからPSIを分離してカウント比較部５５に出力する。さらに、多重分離部５３は、多重化ストリームデータから提示時刻情報PTSを分離してPTS変換部５４に出力する。
【００５１】
PTS変換部５４は、多重分離部５３から入力される、MPEG2 TSに対応する多重化ストリームデータから分離された提示時刻情報PTSを、MMTのシステムクロック周波数である２N[Hz]で刻まれた数値軸上の値に変換し、変換後の提示時刻情報PTSをカウント比較部５５に出力する。
【００５２】
カウント比較部５５は、多重分離部５３から入力される提示時刻情報PTSまたは、変換後の提示時刻情報PTSをTime Stamp InfoとしてHost I/F部５９に出力する。
【００５３】
クロック発生部５６は、MMTに対応する２N[Hz]のシステムクロックを発生してNTP相当カウント部５７およびクロック信号生成部５８に出力する。なお、クロック発生部５６が発生するシステムクロックの周波数は固定値＝２N[Hz]としてもよいし、可変としてもよい。
【００５４】
NTP相当カウント部５７は、２N[Hz]のシステムクロックに従いNTPカウント値をインクリメントしてカウント比較部５５にフィードバックする。
【００５５】
クロック信号生成部５８は、２N[Hz]のシステムクロックに基づき、符号化データを復号するときに必要なベースバンドクロック信号を生成してメディアドライブ５２およびデコード部６０に出力する。
【００５６】
Host I/F部５９は、多重分離部５３から入力された符号化データと、カウント比較部５５から入力された提示時刻情報PTS（２N[Hz]の値に変換後の提示時刻情報PTSである場合を含む）をデコード部６０に出力する。
【００５７】
デコード部６０は、前段から入力されるベースバンドクロック信号に合わせて符号化データをデコードし、その結果得られるビデオ信号とオーディオ信号を提示時刻情報PTSに基づいて同期させて後段に出力する。
【００５８】
＜コンテンツ再生装置５０によるコンテンツ再生処理＞
次に、図３は、コンテンツ再生装置５０によるコンテンツ再生処理を説明するフローチャートである。
【００５９】
ステップＳ１において、コンテンツ取得部５１は、記録メディア３に記録されているMMTまたはMPEG2 TSに対応する多重化ストリームの読み出しと多重分離部５３への出力を開始する。
【００６０】
ステップＳ２において、多重分離部５３は、入力された多重化ストリームデータのフォーマット方式がMMTであるか、MPEG2 TSであるかを判定する。MPEG2 TSであると判定された場合、処理はステップＳ３に進められる。
【００６１】
ステップＳ３において、多重分離部５３は、多重化ストリームデータからコンテンツの符号化データを分離してHost I/F部５９に出力するとともに、多重化ストリームデータからPSIを分離してカウント比較部５５に出力する。さらに、多重分離部５３は、多重化ストリームデータから提示時刻情報PTSを分離してPTS変換部５４に出力する。PTS変換部５４は、提示時刻情報PTSを、MMTのシステムクロック周波数である２N[Hz]で刻まれた数値軸上の値に変換し、変換後の提示時刻情報PTSをカウント比較部５５に出力する。カウント比較部５５は、多重分離部５３から入力された変換後の提示時刻情報PTSをTime Stamp InfoとしてHost I/F部５９に出力する。
【００６２】
反対に、ステップＳ２において、多重化ストリームのフォーマット方式がMMTであると判定された場合、処理はステップＳ４に進められる。ステップＳ４において、多重分離部５３は、多重化ストリームデータからコンテンツの符号化データを分離してHost I/F部５９に出力するとともに、多重化ストリームデータから、PSI相当および提示時刻情報PTSを分離してそのままカウント比較部５５に出力する。カウント比較部５５は、提示時刻情報PTSをTime Stamp InfoとしてHost I/F部５９に出力する。
【００６３】
ステップＳ５において、デコード部６０は、クロック信号生成部５８から入力されるベースバンドクロック信号に合わせて符号化データをデコードし、その結果得られたビデオ信号とオーディオ信号を提示時刻情報PTSに基づいて同期させて後段に出力する。以上でコンテンツ再生装置５０によるコンテンツ再生処理の説明を終了する。
【００６４】
コンテンツ再生装置５０によれば、記録メディア３に記録されているMMTに対応する多重化ストリームについては、そのまま提示時刻情報PTSを用いてＡＶ信号を同期出力することができる。一方、記録メディア３に記録されているMPEG2 TSに対応する多重化ストリームについては、２N[Hz]単位の値に変換済みの提示時刻情報PTSを用いてＡＶ信号を同期出力することができる。
【００６５】
また、コンテンツ再生装置５０の場合、２N[Hz]のシステムクロックを発生するクロック発生部５６のみが搭載されているのでEMI輻射の発生を抑止することができる。
【００６６】
なお、コンテンツ再生装置５０の変形例として、クロック発生部５６にて、MPEG2 TSに対応する２７[ＭHz]のシステムクロックを発生させるとともに、PTS変換部５４にて、多重分離部５３から入力される、MMTに対応する多重化ストリームデータから分離された提示時刻情報PTSを、MPEG2 TSのシステムクロック周波数である２M[Hz]で刻まれた数値軸上の値に変換させるようにしてもよい。
【００６７】
このように変形した場合、記録メディア３に記録されているMPEG2 TSに対応する多重化ストリームについては、そのまま提示時刻情報PTSを用いてＡＶ信号を同期出力することができる。一方、記録メディア３に記録されているMMTに対応する多重化ストリームについては、２７[ＭHz]単位の値に変換された提示時刻情報PTSを用いてＡＶ信号を同期出力することができる。
【００６８】
＜本開示の実施の形態であるコンテンツ再生装置の第２の構成例＞
次に、図４は、本開示の実施の形態であるコンテンツ再生装置の第２の構成例を示している。
【００６９】
このコンテンツ再生装置７０は、内蔵するクロック発生部７６によって発生される２７[ＭHz]のシステムクロックを、コンテンツの供給元（放送局など）からの参照時刻情報PCRまたはNTPに基づき補正して用いるようになされている。
【００７０】
コンテンツ再生装置７０は、大別してコンテンツ取得部１１、MMT多重分離部７１、NTP/PTS変換部７２、ＴＳ多重分離部７３、セレクト部７４、クロックリカバリ部７５、クロック信号生成部８２、Host I/F部８３、およびデコード部８４から構成される。
【００７１】
コンテンツ取得部１１は、通信部１２、受信部１３、およびセレクト部１４を有する。
【００７２】
通信部１２は、インターネットに代表される通信ネットワーク１を介し、MMTまたはMPEG2 TSに対応する多重化ストリームを取得してセレクト部１４に出力する。受信部１３は、地上波放送網、衛星放送網、CATV網などの放送ネットワーク２を介し、MMTまたはMPEG2 TSに対応する多重化ストリームを受信してセレクト部１４に出力する。
【００７３】
セレクト部１４は、通信部１２または受信部１３から入力される多重化ストリームのメディアトランスポート方式に対応してその出力先を選択する。具体的には、MMTに対応する多重化ストリームはMMT多重分離部７１に出力し、MPEG2 TSに対応する多重化ストリームはＴＳ多重分離部７３に出力する。
【００７４】
また、コンテンツ取得部１１は、伝送経路情報をクロックリカバリ部７５のセレクト制御部７９に通知する。ここで、伝送経路情報には、多重化ストリームの伝送路や取得元に関する情報とメディアトランスポート方式（フォーマット方式）が含まれているものとする。
【００７５】
MMT多重分離部７１は、MMTに対応する多重化ストリームデータからコンテンツの符号化データを分離してセレクト部７４に出力するとともに、多重化ストリームデータから、PSI相当を分離してセレクト部７４に出力する。また、MMT多重分離部７１は、多重化ストリームデータから参照時刻情報NTPおよび提示時刻情報PTSを分離してNTP/PTS変換部７２に出力する。
【００７６】
NTP/PTS変換部７２は、MMT多重分離部７１から入力される参照時刻情報NTPおよび提示時刻情報PTSを、MPEG2 TSのシステムクロック周波数である２７[ＭHz]で刻まれた数値軸上の値に変換し、変換後の参照時刻情報NTPおよび提示時刻情報PTSをセレクト部７４に出力する。
【００７７】
ＴＳ多重分離部７３は、MPEG2 TSに対応する多重化ストリームデータからコンテンツの符号化データを分離してセレクト部７４に出力するとともに、多重化ストリームデータから、PSIを分離してセレクト部７４に出力する。また、ＴＳ多重分離部７３は、多重化ストリームデータから参照時刻情報PCRおよび提示時刻情報PTSを分離してセレクト部７４に出力する。
【００７８】
セレクト部７４は、コンテンツ取得部１１が取得した多重化ストリームのメディアトランスポート方式に対応して、後段に出力する一連のデータの入力元を選択する。
【００７９】
具体的には、多重化ストリームのメディアトランスポート方式がMMTである場合、MMT多重分離部７１から入力される符号化データをHost I/F部８３に出力するとともに、MMT多重分離部７１から入力されるPSI相当、並びに、NTP/PTS変換部７２から入力される変換後の参照時刻情報NTPおよび提示時刻情報PTSをクロックリカバリ部７５に出力する。
【００８０】
反対に、多重化ストリームのメディアトランスポート方式がMEG2 TSである場合、ＴＳ多重分離部７３から入力される符号化データをHost I/F部８３に出力するとともに、ＴＳ多重分離部７３から入力されるPSI、並びに、参照時刻情報PCRおよび提示時刻情報PTSをクロックリカバリ部７５に出力する。
【００８１】
クロックリカバリ部７５は、クロック発生部７６、STCカウント部７７、カウント比較部７８、セレクト制御部７９、クロック制御部（放送MMT）８０−１、クロック制御部（放送ＴＳ）８０−２、クロック制御部（通信ネットワーク）８０−３、およびセレクト部８１を有する。
【００８２】
クロック発生部７６は、MPEG2 TSに対応する２７[ＭHz]のシステムクロックを発生してSTCカウント部７７およびクロック信号生成部８２に出力する。STCカウント部７７は、２７[ＭHz]のシステムクロックに従いSTCカウント値をインクリメントしてカウント比較部７８にフォードバックする。
【００８３】
カウント比較部７８は、フィードバックされるSTCカウント値と、セレクト部７４を介して入力される変換後の参照時刻情報NTPとの差分、およびPSI相当をクロック制御部（放送MMT）８０−１およびクロック制御部（通信ネットワーク）８０−３に出力する。さらに、カウント比較部７８は、フィードバックされるSTCカウント値と、セレクト部７４を介して入力される変換後の参照時刻情報NTPとの差分をセレクト制御部７９に出力する。
【００８４】
また、カウント比較部７８は、フィードバックされるSTCカウント値と、セレクト部７４を介して入力される参照時刻情報PCRとの差分、およびPSIをクロック制御部（放送ＴＳ）８０−２およびクロック制御部（通信ネットワーク）８０−３に出力する。さらに、カウント比較部７８は、フィードバックされるSTCカウント値と、セレクト部７４を介して入力される参照時刻情報PCRとの差分をセレクト制御部７９に出力する。
【００８５】
またさらに、カウント比較部７８は、セレクト部７４を介して入力される、変換後の参照時刻情報NTPおよび提示時刻情報PTS、または、参照時刻情報PCRおよび提示時刻情報PTSをTime Stamp InfoとしてHost I/F部８３に出力する。
【００８６】
セレクト制御部７９は、コンテンツ取得部１１から通知される伝送経路情報、および、カウント比較部７８から入力されるSTCカウント値との差分に基づいて、セレクト部８１の出力を制御する。
【００８７】
クロック制御部（放送MMT）８０−１は、カウント比較部７８からの入力に基づき、ジッタ特性などの伝送路としての放送ネットワーク２の伝送状況に応じたクロック復元処理を行うための制御信号を生成してセレクト部８１に出力する。
【００８８】
クロック制御部（放送ＴＳ）８０−２は、カウント比較部７８からの入力に基づき、ジッタ特性などの伝送路としての放送ネットワーク２の伝送状況に応じたクロック復元処理を行うための制御信号を生成してセレクト部８１に出力する。
【００８９】
クロック制御部（通信ネットワーク）８０−３は、カウント比較部７８からの入力に基づき、ジッタ特性などの伝送路としての通信ネットワーク１の伝送状況に応じたクロック復元処理を行うための制御信号を生成してセレクト部８１に出力する。
【００９０】
セレクト部８１は、セレクト制御部７９からの制御に従い、クロック発生部７６に出力する制御信号の入力元を選択する。具体的には、多重化ストリームの取得元が放送ネットワーク２であってメディアトランスポート方式がMMTである場合、クロック制御部（放送MMT）８０−１から入力される制御信号をクロック発生部７６に出力する。また、多重化ストリームの取得元が放送ネットワーク２であってメディアトランスポート方式がMPEG2 TSである場合、クロック制御部（放送ＴＳ）８０−２から入力される制御信号をクロック発生部７６に出力する。また、多重化ストリームの取得元が通信ネットワーク１である場合、クロック制御部（通信ネットワーク）８０−３から入力される制御信号をクロック発生部７６に出力する。
【００９１】
したがって、セレクト部７４とセレクト部８１は、基本的にはコンテンツ取得部１１が取得した多重化ストリームの取得元やメディアトランスポート方式に対応して同時に切り替えられる。ただし、セレクト部７４とセレクト部８１を別々に切り替えてもよい。またセレクト部８１については、受信、再生の動作中に適応的に切り替えるようにしてもよい。
【００９２】
クロック信号生成部８２は、２７[ＭHz]のシステムクロックに基づき、符号化データを復号するときに必要なベースバンドクロック信号を生成してデコード部８４に出力する。
【００９３】
Host I/F部８３は、セレクト部７４を介して入力される符号化データと、カウント比較部７８からTime Stamp Infoとして入力される変換後の参照時刻情報NTPおよび提示時刻情報PTS、または、参照時刻情報PCRおよび提示時刻情報PTSをデコード部８４に出力する。
【００９４】
デコード部８４は、クロック信号生成部８２から入力されるベースバンドクロック信号に合わせて符号化データをデコードし、その結果得られるビデオ信号とオーディオ信号を、提示時刻情報PTS（２７[ＭHz]の値に変換後の提示時刻情報PTSである場合を含む）に基づいて同期させて後段に出力する。
【００９５】
＜コンテンツ再生装置７０によるコンテンツ再生処理＞
次に、図５は、コンテンツ再生装置７０によるコンテンツ再生処理を説明するフローチャートである。
【００９６】
ステップＳ１１において、コンテンツ取得部１１は、通信ネットワーク１または放送ネットワーク２を介したMMTまたはMPEG2 TSに対応する多重化ストリームの受信を開始する。ステップＳ１２において、コンテンツ取得部１１は、受信が開始された多重化ストリームの取得元とメディアトランスポート方式を判定する。また、コンテンツ取得部１１は、この判定結果をクロックリカバリ部７５のセレクト制御部７９に通知する。セレクト制御部７９では、この判定結果に基づいてセレクト部８１の出力が制御される。
【００９７】
ステップＳ１２において、多重化ストリームのメディアトランスポート方式がMMTであると判定された場合、処理はステップＳ１３に進められる。
【００９８】
ステップＳ１３において、セレクト部１４は、MMTに対応する多重化ストリームをMMT多重分離部７１に出力する。MMT多重分離部７１は、多重化ストリームデータからコンテンツの符号化データを分離してセレクト部７４に出力するとともに、多重化ストリームデータから、PSI相当を分離してセレクト部７４に出力する。また、MMT多重分離部７１は、多重化ストリームデータから参照時刻情報NTPおよび提示時刻情報PTSを分離してNTP/PTS変換部７２に出力する。NTP/PTS変換部７２は、参照時刻情報NTPおよび提示時刻情報PTSを、MPEG2 TSのシステムクロック周波数である２７[ＭHz]で刻まれた数値軸上の値に変換し、変換後の参照時刻情報NTPおよび提示時刻情報PTSをセレクト部７４に出力する。セレクト部７４は、MMT多重分離部７１から入力される符号化データをHost I/F部８３に出力するとともに、MMT多重分離部７１から入力されるPSI相当、並びに、NTP/PTS変換部７２から入力される変換後の参照時刻情報NTPおよび提示時刻情報PTSをクロックリカバリ部７５に出力する。
【００９９】
反対に、ステップＳ１２において、多重化ストリームのメディアトランスポート方式がMPEG2 TSであると判定された場合、処理はステップＳ１４に進められる。
【０１００】
ステップＳ１４において、セレクト部１４は、MPEG2 TSに対応する多重化ストリームをＴＳ多重分離部７３に出力する。ＴＳ多重分離部７３は、多重化ストリームデータからコンテンツの符号化データを分離してセレクト部７４に出力するとともに、多重化ストリームデータから、PSIを分離してセレクト部７４に出力する。また、ＴＳ多重分離部７３は、多重化ストリームデータから参照時刻情報PCRおよび提示時刻情報PTSを分離してセレクト部７４に出力する。セレクト部７４は、ＴＳ多重分離部７３から入力された符号化データをHost I/F部８３に出力するとともに、ＴＳ多重分離部７３から入力されたPSI、並びに、参照時刻情報PCRおよび提示時刻情報PTSをクロックリカバリ部７５に出力する。
【０１０１】
ステップＳ１５において、クロックリカバリ部７５は、セレクト部７４から入力された、２７[ＭHz]単位の値に変換後の参照時刻情報NTPおよび提示時刻情報PTS並びにPSI相当、または、参照時刻情報PCR、提示時刻情報PTSおよびPSIに基づき、伝送路やメディアトランスポート方式に適した制御によって２７[ＭHz]のシステムクロックを補正してクロック信号生成部８２に出力する。クロック信号生成部８２は、２７[ＭHz]のシステムクロックに基づき、符号化データを復号するときに必要なベースバンドクロック信号を生成してデコード部８４に出力する。
【０１０２】
ステップＳ１６において、デコード部８４は、クロック信号生成部８２から入力されるベースバンドクロック信号に合わせて、Host I/F部８３からの符号化データをデコードし、その結果得られるビデオ信号とオーディオ信号を、カウント比較部７８からの提示時刻情報PTS（２７[ＭHz]の値に変換後の提示時刻情報PTSである場合を含む）に基づいて同期させて後段に出力する。以上でコンテンツ再生装置７０によるコンテンツ再生処理の説明を終了する。
【０１０３】
コンテンツ再生装置７０によれば、通信ネットワーク１または放送ネットワーク２から受信したMPEG2 TSに対応する多重化ストリームについては、参照時刻情報PCRおよび提示時刻情報PTSをそのまま用いてＡＶ信号を同期出力することができる。一方、MMTに対応する多重化ストリームについては、２７[ＭHz]単位の値に変換された参照時刻情報NTPおよび提示時刻情報PTSを用いてＡＶ信号を同期出力することができる。
【０１０４】
また、コンテンツ再生装置７０の場合、２７[ＭHz]のシステムクロックを発生するクロック発生部７６のみが搭載されているのでEMI輻射の発生を抑止することができるとともに、回路規模を小さくすることができる。
【０１０５】
＜本開示の実施の形態であるコンテンツ再生装置の第３の構成例＞
次に、図６は、本開示の実施の形態であるコンテンツ再生装置の第３の構成例を示している。
【０１０６】
このコンテンツ再生装置９０は、内蔵するクロック発生部９６によって発生される２N[Hz]のシステムクロックを、コンテンツの供給元（放送局など）からの参照時刻情報PCRまたはNTPに基づき補正して用いるようになされている。なお、コンテンツ再生装置９０と図４に示されたコンテンツ再生装置７０とで共通する構成要素については、同一の符号を付しているので、その説明は適宜省略する。
【０１０７】
コンテンツ再生装置９０は、大別してコンテンツ取得部１１、MMT多重分離部９１、ＴＳ多重分離部９２、PCR/PTS変換部９３、セレクト部９４、クロックリカバリ部９５、クロック信号生成部１０２、Host I/F部１０３、およびデコード部１０４から構成される。
【０１０８】
コンテンツ取得部１１は、通信部１２または受信部１３により、通信ネットワーク１または放送ネットワーク２を介して、MMTまたはMPEG2 TSに対応する多重化ストリームを取得し、MMTに対応する多重化ストリームはMMT多重分離部９１に出力し、MPEG2 TSに対応する多重化ストリームはＴＳ多重分離部９２に出力する。また、コンテンツ取得部１１は、伝送経路情報をクロックリカバリ部９５のセレクト制御部９９に通知する。
【０１０９】
MMT多重分離部９１は、MMTに対応する多重化ストリームデータからコンテンツの符号化データ、PSI相当、参照時刻情報NTP、および提示時刻情報PTSを分離してセレクト部９４に出力する。
【０１１０】
ＴＳ多重分離部９２は、MPEG2 TSに対応する多重化ストリームデータからコンテンツの符号化データを分離してセレクト部９４に出力するとともに、多重化ストリームデータから、PSIを分離してセレクト部９４に出力する。また、ＴＳ多重分離部９２は、多重化ストリームデータから参照時刻情報PCRおよび提示時刻情報PTSを分離してPCR/PTS変換部９３に出力する。
【０１１１】
PCR/PTS変換部９３は、ＴＳ多重分離部９２から入力される参照時刻情報PCRおよび提示時刻情報PTSを、MMTのシステムクロック周波数である２N[Hz]で刻まれた数値軸上の値に変換し、変換後の参照時刻情報PCRおよび提示時刻情報PTSをセレクト部９４に出力する。
【０１１２】
セレクト部９４は、コンテンツ取得部１１が取得した多重化ストリームのメディアトランスポート方式に対応して、後段に出力する一連のデータの入力元を選択する。
【０１１３】
具体的には、多重化ストリームのメディアトランスポート方式がMMTである場合、MMT多重分離部９１から入力される符号化データをHost I/F部１０３に出力するとともに、MMT多重分離部９１から入力されるPSI相当、並びに、参照時刻情報NTPおよび提示時刻情報PTSをクロックリカバリ部９５に出力する。
【０１１４】
反対に、多重化ストリームのメディアトランスポート方式がMPEG2 TSである場合、ＴＳ多重分離部９２から入力される符号化データをHost I/F部１０３に出力するとともに、ＴＳ多重分離部９２から入力されるPSI、並びに、PCR/PTS変換部９３から入力される変換後の参照時刻情報PCRおよび提示時刻情報PTSをクロックリカバリ部９５に出力する。
【０１１５】
クロックリカバリ部９５は、クロック発生部９６、NTPカウント部９７、カウント比較部９８、セレクト制御部９９、クロック制御部（放送MMT）１００−１、クロック制御部（放送ＴＳ）１００−２、クロック制御部（通信ネットワーク）１００−３、およびセレクト部１０１を有する。
【０１１６】
クロック発生部９６は、MMTに対応する２N[Hz]のシステムクロックを発生してNTPカウント部９７およびクロック信号生成部１０２に出力する。NTPカウント部９７は、２N[Hz]のシステムクロックに従いNTPカウント値をインクリメントしてカウント比較部９８にフォードバックする。
【０１１７】
カウント比較部９８は、フィードバックされるNTPカウント値と、セレクト部９４を介して入力される参照時刻情報NTPとの差分、およびPSI相当をクロック制御部（放送MMT）１００−１およびクロック制御部（通信ネットワーク）１００−３に出力する。さらに、カウント比較部９８は、フィードバックされるSTCカウント値と、セレクト部７４を介して入力される参照時刻情報NTPとの差分をセレクト制御部９９に出力する。
【０１１８】
また、カウント比較部９８は、フィードバックされるNTPカウント値と、セレクト部９４を介して入力される変換後の参照時刻情報PCRとの差分、およびPSIをクロック制御部（放送ＴＳ）１００−２およびクロック制御部（通信ネットワーク）１００−３に出力する。さらに、カウント比較部９８は、フィードバックされるSTCカウント値と、セレクト部７４を介して入力される変換後の参照時刻情報PCRとの差分をセレクト制御部９９に出力する。
【０１１９】
またさらに、カウント比較部９８は、セレクト部９４を介して入力される、参照時刻情報NTPおよび提示時刻情報PTS、または、変換後の参照時刻情報PCRおよび提示時刻情報PTSをTime Stamp InfoとしてHost I/F部１０３に出力する。
【０１２０】
セレクト制御部９９は、コンテンツ取得部１１から通知される伝送経路情報、および、カウント比較部９８から入力されるSTCカウント値との差分に基づいて、セレクト部１０１の出力を制御する。
【０１２１】
クロック制御部（放送MMT）１００−１は、カウント比較部９８からの入力に基づき、ジッタ特性などの伝送路としての放送ネットワーク２の伝送状況に応じたクロック復元処理を行うための制御信号を生成してセレクト部１０１に出力する。
【０１２２】
クロック制御部（放送ＴＳ）１００−２は、カウント比較部９８からの入力に基づき、ジッタ特性などの伝送路としての放送ネットワーク２の伝送状況に応じたクロック復元処理を行うための制御信号を生成してセレクト部１０１に出力する。
【０１２３】
クロック制御部（通信ネットワーク）１００−３は、カウント比較部９８からの入力に基づき、ジッタ特性などの伝送路としての通信ネットワーク１の伝送状況に応じたクロック復元処理を行うための制御信号を生成してセレクト部１０１に出力する。
【０１２４】
セレクト部１０１は、セレクト制御部９９からの制御に従い、クロック発生部９６に出力する制御信号の入力元を選択する。具体的には、多重化ストリームの取得元が放送ネットワーク２であってメディアトランスポート方式がMMTである場合、クロック制御部（放送MMT）１００−１から入力される制御信号をクロック発生部９６に出力する。また、多重化ストリームの取得元が放送ネットワーク２であってメディアトランスポート方式がMPEG2 TSである場合、クロック制御部（放送ＴＳ）１００−２から入力される制御信号をクロック発生部９６に出力する。また、多重化ストリームの取得元が通信ネットワーク１である場合、クロック制御部（通信ネットワーク）１００−３から入力される制御信号をクロック発生部７６に出力する。
【０１２５】
したがって、セレクト部９４とセレクト部１０１は、基本的にはコンテンツ取得部１１が取得した多重化ストリームの取得元とそのメディアトランスポート方式に対応して同時に切り替えられる。ただし、セレクト部９４とセレクト部１０１を別々に切り替えたりしてもよい。またセレクト部１０１については、受信、再生の動作中に適応的に切り替えるようにしてもよい。
【０１２６】
クロック信号生成部１０２は、２N[Hz]のシステムクロックに基づき、符号化データを復号するときに必要なベースバンドクロック信号を生成してデコード部８４に出力する。
【０１２７】
Host I/F部１０３は、セレクト部９４を介して入力される符号化データと、カウント比較部９８からTime Stamp Infoとして入力される参照時刻情報NTPおよび提示時刻情報PTS、または、変換後の参照時刻情報PCRおよび提示時刻情報PTSをデコード部１０４に出力する。
【０１２８】
デコード部１０４は、クロック信号生成部１０２から入力されるベースバンドクロック信号に合わせて符号化データをデコードし、その結果得られるビデオ信号とオーディオ信号を、提示時刻情報PTS（２N[Hz]の値に変換後の提示時刻情報PTSである場合を含む）に基づいて同期させて後段に出力する。
【０１２９】
＜コンテンツ再生装置９０によるコンテンツ再生処理＞
次に、図７は、コンテンツ再生装置９０によるコンテンツ再生処理を説明するフローチャートである。
【０１３０】
ステップＳ２１において、コンテンツ取得部１１は、通信ネットワーク１または放送ネットワーク２を介したMMTまたはMPEG2 TSに対応する多重化ストリームの受信を開始する。ステップＳ２２において、コンテンツ取得部１１は、受信が開始された多重化ストリームの取得元とメディアトランスポート方式を判定する。また、コンテンツ取得部１１は、この判定結果をクロックリカバリ部９５のセレクト制御部９９に通知する。セレクト制御部９９では、この判定結果に基づいてセレクト部１０１の出力が制御される。
【０１３１】
ステップＳ２２において、多重化ストリームのメディアトランスポート方式がMPEG2 TSであると判定された場合、処理はステップＳ２３に進められる。
【０１３２】
ステップＳ２３において、セレクト部１４は、MPEG2 TSに対応する多重化ストリームをＴＳ多重分離部９２に出力する。ＴＳ多重分離部９２は、多重化ストリームデータからコンテンツの符号化データを分離してセレクト部９４に出力するとともに、多重化ストリームデータから、PSIを分離してセレクト部９４に出力する。また、ＴＳ多重分離部９２は、多重化ストリームデータから参照時刻情報PCRおよび提示時刻情報PTSを分離してPCR/PTS変換部９３に出力する。PCR/PTS変換部９３は、参照時刻情報PCRおよび提示時刻情報PTSを、MMTのシステムクロック周波数である２N[Hz]で刻まれた数値軸上の値に変換し、変換後の参照時刻情報PCRおよび提示時刻情報PTSをセレクト部９４に出力する。セレクト部９４は、ＴＳ多重分離部９２から入力される符号化データをHost I/F部１０３に出力するとともに、ＴＳ多重分離部９２から入力されるPSI、並びに、PCR/PTS変換部９３から入力される変換後の参照時刻情報PCRおよび提示時刻情報PTSをクロックリカバリ部９５に出力する。
【０１３３】
反対に、ステップＳ２２において、多重化ストリームのメディアトランスポート方式がMMTであると判定された場合、処理はステップＳ２４に進められる。
【０１３４】
ステップＳ２４において、セレクト部１４は、MMTに対応する多重化ストリームをMMT多重分離部９１に出力する。MMT多重分離部９１は、多重化ストリームデータからコンテンツの符号化データを分離してセレクト部９４に出力するとともに、多重化ストリームデータから、PSI相当を分離してセレクト部９４に出力する。また、MMT多重分離部９１は、多重化ストリームデータから参照時刻情報NTPおよび提示時刻情報PTSを分離してセレクト部９４に出力する。セレクト部９４は、MMT多重分離部９１から入力された符号化データをHost I/F部１０３に出力するとともに、MMT多重分離部９１から入力されたPSI相当、並びに、参照時刻情報NTPおよび提示時刻情報PTSをクロックリカバリ部９５に出力する。
【０１３５】
ステップＳ２５において、クロックリカバリ部９５は、セレクト部９４から入力された、参照時刻情報NTP、提示時刻情報PTS、およびPSI相当、または、２N[Hz]単位の値に変換後の参照時刻情報PCRおよび提示時刻情報PTS、並びにPSIに基づき、伝送路やメディアトランスポート方式に適した制御によって２N[Hz]のシステムクロックを補正してクロック信号生成部１０２に出力する。クロック信号生成部１０２は、２N[Hz]のシステムクロックに基づき、符号化データを復号するときに必要なベースバンドクロック信号を生成してデコード部１０４に出力する。
【０１３６】
ステップＳ２６において、デコード部１０４は、クロック信号生成部１０２から入力されるベースバンドクロック信号に合わせて、Host I/F部１０３からの符号化データをデコードし、その結果得られるビデオ信号とオーディオ信号を、カウント比較部９８からの提示時刻情報PTS（２N[Hz]の値に変換後の提示時刻情報PTSである場合を含む）に基づいて同期させて後段に出力する。以上でコンテンツ再生装置９０によるコンテンツ再生処理の説明を終了する。
【０１３７】
コンテンツ再生装置９０によれば、通信ネットワーク１または放送ネットワーク２から受信したMMTに対応する多重化ストリームについては、参照時刻情報NTPおよび提示時刻情報PTSをそのまま用いてＡＶ信号を同期出力することができる。一方、MPEG2 TSに対応する多重化ストリームについては、２N[Hz]単位の値に変換された参照時刻情報PCRおよび提示時刻情報PTSを用いてＡＶ信号を同期出力することができる。
【０１３８】
また、コンテンツ再生装置９０の場合、２N[Hz]のシステムクロックを発生するクロック発生部９６のみが搭載されているのでEMI輻射の発生を抑止することができるとともに、回路規模を小さくすることができる。
【０１３９】
＜本開示の実施の形態であるコンテンツ再生装置の第４の構成例＞
次に、図８は、本開示の実施の形態であるコンテンツ再生装置の第４の構成例を示している。
【０１４０】
このコンテンツ再生装置１２０は、図６のコンテンツ再生装置９０と同様に、内蔵するクロック発生部１３３によって発生される２N[Hz]のシステムクロックを、コンテンツの供給元（放送局など）からの参照時刻情報PCRまたはNTPに基づき補正して用いることができるようになされている。
【０１４１】
さらに、コンテンツ再生装置１２０は、記録メディア３に記録されているMPEG2 TSの多重化ストリームを再生するに際しては、２７[ＭHz]および２N[Hz]とは異なる周波数の外部参照信号（Ref.信号）４から分離した垂直同期（フレーム同期）周期信号や水平同期周期信号を、２N[Hz]単位の値に変換して外部参照時刻情報を生成し、システムクロックを調整することができるようになされている。
【０１４２】
ここで、外部参照信号４とは、例えば、複数の映像をスイッチングする放送局等の編集現場において撮像機器や再生機器などを同期させるための各機器に供給されるアナログのRef.信号（ブラックバースト信号など）を指す。
【０１４３】
コンテンツ再生装置１２０は、大別してコンテンツ取得部１２１、MMT多重分離部１２７、ＴＳ多重分離部１２８、PCR/PTS変換部１２９、Ref.信号変換部１３０、セレクト部１３１、クロックリカバリ部１３２、クロック信号生成部１４０、Host I/F部１４１、およびデコード部１４２から構成される。
【０１４４】
コンテンツ取得部１２１は、通信部１２２、受信部１２３、メディアドライブ１２４、およびセレクト部１２６を有する。
【０１４５】
通信部１２２は、インターネットに代表される通信ネットワーク１を介し、MMTまたはMPEG2 TSに対応する多重化ストリームを取得してセレクト部１２６に出力する。受信部１２３は、地上波放送網、衛星放送網、CATV網などの放送ネットワーク２を介し、MMTまたはMPEG2 TSに対応する多重化ストリームを受信してセレクト部１２６に出力する。メディアドライブ１２４は、クロック信号生成部１４０から供給されるベースバンドクロック信号に基づくバッファ管理を行いながら記録メディア３からMPEG2 TSに対応する多重化ストリームを読み出してセレクト部１２６に出力する。
【０１４６】
セレクト部１２６は、前段から入力される多重化ストリームのメディアトランスポート方式（またはフォーマット方式）に対応してその出力先を選択する。具体的には、MMTに対応する多重化ストリームはMMT多重分離部１２７に出力し、MPEG2 TSに対応する多重化ストリームはＴＳ多重分離部１２８に出力する。
【０１４７】
また、コンテンツ取得部１２１は、伝送経路情報をクロックリカバリ部１３２のセレクト制御部１３６に通知する。
【０１４８】
MMT多重分離部１２７は、MMTに対応する多重化ストリームデータからコンテンツの符号化データ、PSI相当、参照時刻情報NTP、および提示時刻情報PTSを分離してセレクト部３３に出力する。
【０１４９】
ＴＳ多重分離部１２８は、MPEG2 TSに対応する多重化ストリームデータからコンテンツの符号化データを分離してセレクト部１３１に出力するとともに、多重化ストリームデータから、PSIを分離してセレクト部１３１に出力する。また、ＴＳ多重分離部１２８は、多重化ストリームデータから参照時刻情報PCRおよび提示時刻情報PTSを分離してPCR/PTS変換部９３に出力する。
【０１５０】
PCR/PTS変換部１２９は、ＴＳ多重分離部１２８から入力される参照時刻情報PCRおよび提示時刻情報PTSを、MMTのシステムクロック周波数である２N[Hz]で刻まれた数値軸上の値に変換し、変換後の参照時刻情報PCRおよび提示時刻情報PTSをセレクト部１３１に出力する。
【０１５１】
Ref.信号変換部１３０は、外部から供給される外部参照信号４から垂直同期周期信号および水平同期周期信号を分離して、MMTのシステムクロック周波数である２N[Hz]で刻まれた数値軸上の値に変換し、変換後の垂直同期周期信号および水平同期周期信号に基づいて外部参照時刻情報を生成し、をセレクト部１３１に出力する。
【０１５２】
セレクト部１３１は、コンテンツ取得部１２１が取得した多重化ストリームのメディアトランスポート方式やフォーマット方式に対応して、後段に出力する一連のデータの入力元を選択する。
【０１５３】
具体的には、多重化ストリームがMMTである場合、MMT多重分離部１２７から入力される符号化データをHost I/F部１４１に出力するとともに、MMT多重分離部１２７から入力されるPSI相当、並びに、参照時刻情報NTPおよび提示時刻情報PTSをクロックリカバリ部１３２に出力する。
【０１５４】
反対に、多重化ストリームがMPEG2 TSである場合、ＴＳ多重分離部１２８から入力される符号化データをHost I/F部１４１に出力するとともに、ＴＳ多重分離部１２８から入力されるPSI、並びに、PCR/PTS変換部１２９から入力される変換後の参照時刻情報PCRおよび提示時刻情報PTSをクロックリカバリ部１３２に出力する。
【０１５５】
さらに、セレクト部１３１は、Ref.信号変換部１３０から外部参照時刻情報が入力されている場合、その外部参照時刻情報をクロックリカバリ部１３２に出力する。
【０１５６】
クロックリカバリ部１３２は、クロック発生部１３３、NTPカウント部１３４、カウント比較部１３５、セレクト制御部１３６、クロック制御部（放送MMT）１３７−１、クロック制御部（放送ＴＳ）１３７−２、クロック制御部（外部Ref.）１３７−３、クロック制御部（通信ネットワーク）１３７−４、クロック制御部（自走）１３８、およびセレクト部１３９を有する。
【０１５７】
クロック発生部１３３は、MMTに対応する２N[Hz]のシステムクロックを発生してNTPカウント部１３４およびクロック信号生成部１４０に出力する。NTPカウント部１３４は、２N[Hz]のシステムクロックに従いNTPカウント値をインクリメントしてカウント比較部１３５にフォードバックする。
【０１５８】
カウント比較部１３５は、フィードバックされるNTPカウント値と、セレクト部１３１を介して入力される参照時刻情報NTPとの差分、およびPSI相当をクロック制御部（放送MMT）１３７−１、およびクロック制御部（通信ネットワーク）１３７−４に出力する。さらに、カウント比較部１３５は、フィードバックされるNTPカウント値と、セレクト部１３１を介して入力される参照時刻情報NTPとの差分をセレクト制御部１３６に出力する。
【０１５９】
また、カウント比較部１３５は、フィードバックされるNTPカウント値と、セレクト部１３１を介して入力される変換後の参照時刻情報PCRとの差分、およびPSIをクロック制御部（放送ＴＳ）１３７−２、およびクロック制御部（通信ネットワーク）１３７−４に出力する。さらに、カウント比較部１３５は、フィードバックされるNTPカウント値と、セレクト部１３１を介して入力される変換後の参照時刻情報PCRとの差分をセレクト制御部１３６に出力する。
【０１６０】
また、カウント比較部１３５は、Ref.信号変換部１３０からの外部参照時刻情報をクロック制御部（外部Ref.）１３７−３に出力する。
【０１６１】
さらに、カウント比較部１３５は、セレクト部１３１を介して入力される、参照時刻情報NTPおよび提示時刻情報PTS、または、変換後の参照時刻情報PCRおよび提示時刻情報PTSをTime Stamp InfoとしてHost I/F部１４１に出力する。
【０１６２】
セレクト制御部１３６は、コンテンツ取得部１２１から通知される伝送経路情報、および、カウント比較部１３５から入力されるNTPカウント値との差分に基づいて、セレクト部１３９の出力を制御する。
【０１６３】
クロック制御部（放送MMT）１３７−１は、カウント比較部１３５から入力される、NTPカウント値と参照時刻情報NTPとの差分およびPSI相当に基づき、ジッタ特性などの伝送路としての放送ネットワーク２の伝送状況に応じたクロック復元処理を行うための制御信号を生成してセレクト部１３９に出力する。
【０１６４】
クロック制御部（放送ＴＳ）１３７−２は、カウント比較部１３５から入力される、NTPカウント値と変換後の参照時刻情報PCRとの差分およびPSIに基づき、ジッタ特性などの伝送路としての放送ネットワーク２の伝送状況に応じたクロック復元処理を行うための制御信号を生成してセレクト部１３９に出力する。
【０１６５】
クロック制御部（外部Ref.）１３７−３は、カウント比較部１３５からの入力に基づき、外部参照信号に同期させるために適した制御信号を生成してセレクト部１３９に出力する。
【０１６６】
クロック制御部（通信ネットワーク）１３７−４は、カウント比較部１３５からの入力に基づき、ジッタ特性などの伝送路としての通信ネットワーク１の伝送状況に応じたクロック復元処理を行うための制御信号を生成してセレクト部１３９に出力する。
【０１６７】
クロック制御部（自走）１３８は、参照時刻情報NTPまたはPCR、あるいは、外部参照時刻情報に依存することなく、クロック発生部１３３を自走させるための制御信号を生成してセレクト部１３９に出力する。
【０１６８】
セレクト部１３９は、セレクト制御部１３６からの制御に従い、クロック発生部１３９に出力する制御信号の入力元を選択する。具体的には、多重化ストリームの取得元が放送ネットワーク２であってメディアトランスポート方式がMMTである場合、クロック制御部（放送MMT）１３７−１から入力される制御信号をクロック発生部１３３に出力する。また、多重化ストリームの取得元が放送ネットワーク２であってメディアトランスポート方式がMPEG2 TSである場合、クロック制御部（放送ＴＳ）１３７−２から入力される制御信号をクロック発生部１３３に出力する。また、外部参照信号４に同期させる場合には、クロック制御部（外部Ref.）１３７−３から入力される制御信号をクロック発生部１３３に出力する。
【０１６９】
さらに、多重化ストリームの取得元が通信ネットワーク１である場合、クロック制御部（通信ネットワーク）１３７−４から入力される制御信号をクロック発生部１３３に出力する。またさらに、クロック発生部１３３を自走させる場合には、クロック制御部（自走）１３８から入力される制御信号をクロック発生部１３３に出力する。
【０１７０】
したがって、セレクト部１３１とセレクト部１３９は、基本的にはコンテンツ取得部１２１が取得した多重化ストリームのメディアトランスポート方式（フォーマット方式）に対応して同時に切り替えられる。ただし、これらを別々に切り替えたりしてもよい。またセレクト部１３９については、受信、再生の動作中に適応的に切り替えるようにしてもよい。
【０１７１】
クロック信号生成部１４０は、２N[Hz]のシステムクロックに基づき、符号化データを復号するときに必要なベースバンドクロック信号を生成してメディアドライブ１２４およびデコード部１４２に出力する。
【０１７２】
Host I/F部１４１は、セレクト部１３１を介して入力される符号化データと、カウント比較部１３５から入力されるTime Stamp Infoをデコード部１４２に出力する。
【０１７３】
デコード部１４２は、クロック信号生成部１４０から入力されるベースバンドクロック信号に合わせて符号化データをデコードし、その結果得られるビデオ信号とオーディオ信号を、提示時刻情報PTS（２N[Hz]の値に変換後の提示時刻情報PTSである場合を含む）に基づいて同期させて後段に出力する。
【０１７４】
＜コンテンツ再生装置１２０によるコンテンツ再生処理＞
コンテンツ再生装置１２０によるコンテンツ再生処理は、図７を参照して上述したコンテンツ再生装置９０によるコンテンツ再生処理と同様である。ただし、記録メディア３からコンテンツを再生する場合には、システムクロックを外部参照信号４に同期させることができるので、共通の外部参照信号４が供給されている他の機器と同期したＡＶ信号を後段に出力することができる。
【０１７５】
＜まとめ＞
以上説明した本実施の形態であるコンテンツ再生装置５０，７０，９０、および１２０によれば、システムクロックの発生源を１系統としたことにより、回路構成の単純化と小規模化が実現できる、これにより、製造コストと消費電量の削減が可能となる。また、EMI輻射対策を容易に行うことができる。
【０１７６】
なお、本開示の実施の形態は、上述した実施の形態に限定されるものではなく、本開示の要旨を逸脱しない範囲において種々の変更が可能である。
【０１７７】
本開示は以下のような構成も取ることができる。
（１）
第１の周波数から成る第１のシステムクロックに基づいて生成された第１の多重化ストリームを取得する取得部と、
取得された前記第１の多重化ストリームから符号化データと提示時刻情報を分離する多重分離部と、
前記第１の周波数とは異なる第２の周波数から成る第２のシステムクロックを発生するシステムクロック発生部と、
前記第１の多重化ストリームから分離された前記提示時刻情報を前記第２の周波数軸上の値に数値変換する変換部と、
前記第１の多重化ストリームから分離された前記符号化データを復号し、復号の結果得られた復号信号を、数値変換された前記提示時刻情報に従って提示するデコード部と
を備えるコンテンツ再生装置。
（２）
前記取得部は、前記第２のシステムクロックに基づいて生成された第２の多重化ストリームも取得し、
前記多重分離部は、取得された前記第２の多重化ストリームからも符号化データと提示時刻情報を分離し、
前記デコード部は、前記第２の多重化ストリームから分離された前記符号化データを復号し、復号の結果得られた復号信号を、前記第２の多重化ストリームから分離された前記提示時刻情報に従って提示する
前記（１）に記載のコンテンツ再生装置。
（３）
前記多重分離部は、取得された前記第１の多重化ストリームからさらに参照時刻情報を分離し、
前記変換部は、前記第１の多重化ストリームから分離された前記参照時刻情報も前記第２の周波数軸上の値に数値変換し、
数値変換された前記参照時刻情報に基づき、前記第２のシステムクロックを発生する前記システムクロック発生部を制御するクロック制御部をさらに備える
前記（１）または（２）に記載のコンテンツ再生装置。
（４）
前記多重分離部は、取得された前記第２の多重化ストリームからもさらに参照時刻情報を分離し、
前記クロック制御部は、さらに、前記第２の多重化ストリームから分離された前記参照時刻情報に基づき、前記第２のシステムクロックを発生する前記システムクロック発生部を制御する
前記（３）に記載のコンテンツ再生装置。
（５）
前記クロック制御部は、さらに、取得された前記第１または第２の多重化ストリームの伝送経路情報に応じて、前記第２のシステムクロックを発生する前記システムクロック発生部を制御する
前記（２）から（４）のいずれかに記載のコンテンツ再生装置。
（６）
前記第１および第２の周波数とは異なる第３の周波数から成る外部参照信号から分離した同期信号を前記第２の周波数軸上の値に数値変換し、数値変換した前記同期信号に基づいて外部参照時刻情報を生成する外部参照時刻情報生成部をさらに備え、
前記クロック制御部は、さらに、生成された前記外部参照時刻情報に基づき、前記第２のシステムクロックを発生する前記システムクロック発生部を制御する
前記（２）から（５）のいずれかに記載のコンテンツ再生装置。
（７）
前記クロック制御部は、さらに、前記第２のシステムクロックを発生する前記システムクロック発生部が自走するように制御する
前記（２）から（６）のいずれかに記載のコンテンツ再生装置。
（８）
前記第１の周波数は２７[ＭHz]、前記第１の多重化ストリームのメディアトランスポート方式はMPEG-2 TS、前記第１の多重化ストリームから分離された前記参照時刻情報はPCR、前記第１の多重化ストリームから分離された前記提示時刻情報はPTSであり、
前記第２の周波数は２N[Hz]、前記第２の多重化ストリームのメディアトランスポート方式はMMT、前記第２の多重化ストリームから分離された前記参照時刻情報はNTP、前記第２の多重化ストリームから分離された前記提示時刻情報はPTSである
前記（２）から（７）のいずれかに記載のコンテンツ再生装置。
（９）
前記第１の周波数は２N[Hz]、前記第１の多重化ストリームのメディアトランスポート方式はMMT、前記第１の多重化ストリームから分離された前記参照時刻情報はNTP、前記第１の多重化ストリームから分離された前記提示時刻情報はPTSであり、
前記第２の周波数は２７[ＭHz]、前記第２の多重化ストリームのメディアトランスポート方式はMPEG-2 TS、前記第２の多重化ストリームから分離された前記参照時刻情報はPCR、前記第２の多重化ストリームから分離された前記提示時刻情報はPTSである
前記（２）から（７）のいずれかに記載のコンテンツ再生装置。
（１０）
コンテンツ再生装置のコンテンツ再生方法において、
前記コンテンツ再生装置による、
第１の周波数から成る第１のシステムクロックに基づいて生成された第１の多重化ストリームを取得する取得ステップと、
取得された前記第１の多重化ストリームから符号化データと提示時刻情報を分離する多重分離ステップと、
前記第１の多重化ストリームから分離された前記提示時刻情報を、システムクロック発生部が発生した前記第１の周波数とは異なる第２の周波数軸上の値に数値変換する変換ステップと、
前記第１の多重化ストリームから分離された前記符号化データを復号する復号ステップと、
復号の結果得られた復号信号を、数値変換された前記提示時刻情報に従って提示する提示ステップと
を含むコンテンツ再生方法。
【符号の説明】
【０１７８】
１  通信ネットワーク，  ２  放送ネットワーク，  ３  記録メディア，  ５０  コンテンツ再生装置，  ５１  コンテンツ取得部，  ５４  PTS変換部，  ５６  クロック発生部，  ７０  コンテンツ再生装置，  ７２  NTP/PCR変換部，  ７５  クロックリカバリ部，  ７６  クロック発生部，  ９０  コンテンツ再生装置，  ９３  PCR/PTS変換部，  ９５  クロックリカバリ部，  ９６  クロック発生部，  １２０  コンテンツ再生装置，  １２９  PCR/PTS変換部，  １３０  Ref.信号変換部，  １３２  クロックリカバリ部，  １３３  クロック発生部
【図１】
2017077881.tif 000003
【図２】
2017077881.tif 000004
【図３】
2017077881.tif 000005
【図４】
2017077881.tif 000006
【図５】
2017077881.tif 000007
【図６】
2017077881.tif 000008
【図７】
2017077881.tif 000009
【図８】
2017077881.tif 000010
【国際調査報告】
2017077881.tif 000011
2017077881.tif 000012
2017077881.tif 000013
2017077881.tif 000014